Podtech/llm-jp-corpus-v4-ja_patent huggingface dataset:
(57)【要約】      （修正有）【課題】長期的に除湿性を確保しながら、健康的で快適に使用できる多機能珪藻土吸湿マットを開示する。【解決手段】第一不織布１、第二不織布３、及び、吸湿ビーズ２を備え、第一不織布１と第二不織布３がいずれも珪藻土混合繊維製の不織布であり、吸湿ビーズ２が第一不織布１と第二不織布３との間に物理的に固定されている。多機能珪藻土吸湿マットは、優れた通気性、より良い吸湿効果を有し、そして環境に優しく無害である。【選択図】図１
0003221797.tif 000002
【実用新案登録請求の範囲】
【請求項１】
第一不織布、第二不織布、及び、吸湿ビーズを備え、前記第一不織布と前記第二不織布がいずれも珪藻土混合繊維製の不織布であり、前記吸湿ビーズが第一不織布と第二不織布との間に物理的に固定されていることを特徴とする多機能珪藻土吸湿マット。
【請求項２】
前記吸湿ビーズが、シリカゲル粒子であることを特徴とする請求項１に記載の多機能珪藻土吸湿マット。
【請求項３】
前記シリカゲル粒子が、直径１．５〜２ｍｍであることを特徴とする請求項２に記載の多機能珪藻土吸湿マット。
【考案の詳細な説明】
【技術分野】
【０００１】
本考案は、繊維技術分野に関し、特に多機能珪藻土吸湿マットに関する。
【背景技術】
【０００２】
住環境と住空間の湿度が非常に高い国では、過去や現在にかかわらず、どのように除湿するかは生活における重要な課題である。今まで人々はさまざまな対策を講じてきた。例えば、湿気のないクローゼットに掛け布団のような寝具を保管するために、市場で販売されている竹製マットをクローゼットの床に敷いていた。
【考案の概要】
【考案が解決しようとする課題】
【０００３】
クローゼットの場合、竹製マットで対応することが可能であるが、タンスや下駄箱のような狭い場所では対応できない。なお、通常の除湿器は高いので、狭い場所で使用するのが困難である。
【０００４】
上記の問題に鑑みて、シート状の吸湿剤も考えられるが、吸湿剤によって吸収されなかった水分は、不織布の表面を濡らし、後で乾燥させるとき、マットの表面に非常に目立つ黄色い汚れが残る。そして、長期的に十分な吸湿性と使用の快適さを確保できる防湿マットも検討されてきた。例えば、中間層に活性炭が添加されたものがある。これによって長期的に吸湿性を確保することができるが、中間構造が漏れるか滲出しやすいので、その使用効果が徐々に弱まってくる。
【０００５】
本考案が解決しようとする技術的な問題は、製品構成上のイノベーションを介して、長期的に除湿性を確保しながら、健康的で快適に使用できる多機能珪藻土吸湿マットを提供することである。
【課題を解決するための手段】
【０００６】
上記の目的を達成するために、本考案に係る多機能珪藻土吸湿マットは、第一不織布、第二不織布、及び、吸湿ビーズを備え、前記第一不織布と前記第二不織布がいずれも珪藻土混合繊維製の不織布であり、前記吸湿ビーズが第一不織布と第二不織布との間に物理的に固定されている。
【０００７】
さらに、前記吸湿ビーズが、シリカゲル粒子である。
【０００８】
さらに、前記シリカゲル粒子が、直径１．５〜２ｍｍである。
【考案の効果】
【０００９】
本考案の良好な効果として、第一不織布及び第二不織布がいずれも珪藻土混合繊維製の不織布であるので、第一不織布及び第二不織布は珪藻土の効果を有する。また、吸湿ビーズが第一不織布と第二不織布との間に物理的に固定されているので、本考案に係る多機能珪藻土吸湿マットは、優れた通気性、より良い吸湿効果を有し、そして環境に優しく無害である
【図面の簡単な説明】
【００１０】
【図１】本考案に係る多機能珪藻土吸湿マットの構造概略図である。
【考案を実施するための形態】
【００１１】
以下、添付する図面を参照し本考案の実施形態についてさらに説明する。
図１に示すように、本考案に係る多機能珪藻土吸湿マットは、第一不織布１、第二不織布３、及び、吸湿ビーズ２を備える。
【００１２】
第一不織布と第二不織布は、いずれも珪藻土混合繊維製の不織布である。この不織布は、珪藻土が繊維に埋め込まれているので、永久的に珪藻土の役割を有し、その機能が安定であり容易に失われない。珪藻土混合繊維製の不織布は多機能珪藻土吸湿マットの表面を構成し、珪藻土と繊維の効果には全く影響がない。
【００１３】
吸湿ビーズが第一不織布と第二不織布との間に物理的に固定されている。物理的手段とは、化学反応を伴わない物理的構造である。この物理的手段により、吸湿ビーズ、第一不織布及び第二不織布は、性能を損なうことなく、うまく組み合わされることに加え、この３つの部分の構造を安定化させることができる。例えば、吸湿ビーズの配列と位置は相対的に固定されている。
【００１４】
実施形態として、吸湿ビーズは、シリカゲル粒子であってもよい。シリカゲル粒子は、直径１．５〜２ｍｍであってもよく、この範囲内で変更し、より小さい誤差に抑えられてもよい。例えば、シリカゲル粒子は、直径１．５〜１．６ｍｍまたは１．６〜１．７ｍｍなどでもよい。
【００１５】
以下、本考案に係る多機能珪藻土吸湿マットがどのように製造されるかを説明するための実施形態を示す。
本実施形態は、以下の製造工程により製造された多機能珪藻土吸湿マットを提供する。即ち、珪藻土、繊維→不織布→吸湿ビーズ→物理的複合→熱間圧延処理→完成品。
【００１６】
まず、珪藻土と繊維を混合して不織布を作製する。そのうち、繊維は通常のポリエステル繊維、ポリプロピレン繊維または他の化学繊維であり、そして対応する割合の珪藻土を加えて混合する。例えば、全体に対する重量比で１０％、２０％、または３０％の珪藻土を加えた後に、複数回のニードルパンチを行って不織布を作製する。
【００１７】
次に、第一不織布と第二不織布との間にシリカゲル粒子を複合化する。
【００１８】
シリカゲル粒子は、熱間圧延処理などの物理的手段で複合化され、第一不織布と第二不織布との間に固定される。
【００１９】
このようにして、多機能珪藻土吸湿マットを作り出す。この多機能珪藻土吸湿マットは、通気性、除湿性、脱臭性を有し、そして環境に優しい。
【００２０】
上述した詳細な説明は、本考案の可能な実施形態の特定の例示にすぎず、本実用新案登録請求の範囲を限定することを意図するものではない。本考案の精神から逸脱することなく行われる同等の実施形態または変更は、本考案の範囲内に含まれる。
【図１】
0003221797.tif 000003
(57)【要約】      （修正有）【課題】動物の排泄物の汚れの広がりと、オムツによる背中の蒸れを最小限にするため、排泄口周りに、排泄物処理具を装着する事が可能な排泄物受けサポーターを提供する。【解決手段】４足歩行の動物の排泄口近傍に装着される排泄物受けサポーター１０は、中央に排泄口が配置される貫通口が形成された本体（フン用本体１、尿用本体２）と、本体１、２を動物の身体に取り付ける取り付け部３と備え、排泄物を収容又は吸収する排泄物処理具を本体１、２と動物の身体との間に挟み込む。【選択図】図２
0003221794.tif 000002
【実用新案登録請求の範囲】
【請求項１】
４足歩行の動物の排泄口近傍に装着される排泄物受けサポーターであって、中央に排泄口が配置される貫通口が形成された本体と、本体を動物の身体に取り付ける取り付け部とを備え、排泄物を収容又は吸収する排泄物処理具を本体と動物の身体との間に挟み込む、排泄物受けサポーター。
【考案の詳細な説明】
【技術分野】
【０００１】
本考案は、排泄物受けサポーターに関するものである。
【背景技術】
【０００２】
従来のペット用紙おむつはお腹、お尻、腰まですっぽり履かせる形状である。
【考案の概要】
【考案が解決しようとする課題】
【０００３】
これは、次の様な欠点があった。オムツのしっぽの穴から便が漏れ、尿も含め汚れがオムツ内や雄は腹回りまで広がる。漏れないように締め付けてはかせることもあり、犬に精神的負担がかかり、それにより、オムツによる蒸れ、肌荒れがおきる。排泄物の広がりによる飼い主の払拭、医療費、おむつ代の負担がかかり、ごみの量も増える。
【０００４】
本考案は以上の様な欠点をなくすためになされたものである。
【課題を解決するための手段】
【０００５】
４足歩行の動物の排泄口近傍に装着される排泄物受けサポーターであって、中央に排泄口が配置される貫通口が形成された本体と、本体を動物の身体に取り付ける取り付け部とを備え、排泄物を収容、又は吸収する排泄物処理具を本体と動物の身体との間に挟み込む、排泄物受けサポーター。
【考案の効果】
【０００６】
本体と動物の身体との間に挟まれた排泄物処理具（例えば、ビニール袋やペットシート等）に、排泄物が入るので、お尻の払拭の負担が少なくなり、尿も、雄はお腹のほうまで汚れない上に、ごみも小さくてすむ。身体に密着する部分も少ないので、オムツの蒸れ、かぶれの防止になる。オムツの経済負担も軽くなり、ゴミも小さいので環境にも優しい。
【図面の簡単な説明】
【０００７】
【図１】本考案の雌のみに装着する本体の図である。
【図２】本考案の雄のみに装着する本体の図である。
【図３】動物に装着した後ろから見た図である。
【図４】雄の動物に装着した下から見た図である。
【図５】動物に装着した横から見た図である。
【図６】補助取り付け部を装着した上から見た図である。
【考案を実施するための形態】
【０００８】
４足歩行の動物の排泄口近傍に装着される排泄物受けサポーター１０は、中央に排泄口が配置される貫通口が形成された本体（フン用本体１，尿用本体２）と、本体１，２
を動物の身体に取り付ける取り付け部３と備え、排泄物を収容又は吸収する排泄物処理具５を本体１，２と動物の身体との間に挟み込む。
【０００９】
排泄物の広がりを防止するには、排泄口ですぐ受け止められるように、排泄口を囲むように柔らかい本体（フン用本体１，尿用本体２）をつけ、本体１，２が身体にフィットするように本体から伸縮性のある物で、背中のほうへと内股を通して装着させる。
【００１０】
肛門の本体１，２にはビニール等を挟み、陰部には男性介護用尿とりパットや生理用品を筒状にしたもの、犬用尿とりシート等を本体に取り付ける事により、排泄物の広がりを防ぐことができる。
【実施例】
【００１１】
以下、添付図面に従って一実施例を説明する。
肛門より一回り大きいフン用本体１に、取り外しできる伸縮性ある取り付け部３を両側に設ける。
尿用本体２に、取り外しできる伸縮性ある取り付け部３を両側へ設ける。
背中で、紐を取り付ける固定部４を設ける事により、背中から、尻尾横、肛門横、内股を通り背中で取り付ける事ができる。
外れないように前足に通し背中へ取り付けられる補助取り付け部６も設ける。
【００１２】
フン用本体１と身体にビニール５を挟み込み取り付ける。フンが出るとビニール５に入るので、手を汚さずにビニール５を外せばよい。
尿用本体２と身体の間に、尿取りシートか、筒状の尿取りパット等５を挟み込む。
パット等５がすぐ尿を吸収するので広がらず、パット等５を捨てればよい。
【符号の説明】
【００１３】
１    フン用本体
２    尿用本体
３    取り付け部
４    固定部
５    排泄物処理具（ビニール、尿取りパット、シート等）
６    補助取り付け部
【図１】
0003221794.tif 000003
【図２】
0003221794.tif 000004
【図３】
0003221794.tif 000005
【図４】
0003221794.tif 000006
【図５】
0003221794.tif 000007
【図６】
0003221794.tif 000008
(57)【要約】      （修正有）【課題】耐熱、撥水プラスチック等の適宜素材でゴム紐穴も一体成型し、雨や上頭部、首筋の熱さを防ぐとともに、ＵＶカットして日射病を防止する万能サンバイザーを提供する。【解決手段】耐熱、撥水柔軟性の適宜素材１の縁２を丸み肉厚とする。頭にかぶった場合バランスと安定感がよい。また、ゴム紐穴３を一体成型し、ゴム紐４の先端部に固定具を取り付け、紐本体を着脱自在に固定する。面ファスナーでゴム紐の長さを調節可能にしてもよい。本体が樹脂のため洗うこともできる。【選択図】図１
0003221772.tif 000002
【実用新案登録請求の範囲】
【請求項１】
耐熱、撥水、柔軟性のプラスチックの適宜素材で着色したサンバイザー本体の縁は肉厚で丸みに盛り上げ、ゴム紐取り付け穴を一体成型後ゴム紐を係脱自在としたことを特徴とする万能サンバイザー。
【考案の詳細な説明】
【技術分野】
【０００１】本考案は、耐熱、撥水、撥水プラスチック等の適宜素材でゴム紐穴も一体成型する日射病を防止目的にした万能サンバイザーに関するものである。
【背景技術】
【０００２】市販品のバイザーは雨や上頭部、首筋の熱さは防げなかったし洗えなかった。
【先考技術文献】
【特許文献】
【０００３】
【非特許文献】
【０００４】
【非特許文献１】市販品は中国製多数有る。
【考案の概要】
【考案が解決しようとする課題】
【０００５】これには次のような欠点があった。
１  頭上は覆いが無いために頭部が大変熱かった。
２  首筋の熱射は防げなかった。
３  帽子に使用する場合サンバイザーのヘリが邪魔だった。
４  布製のものが多く洗うのが不便だった。
【課題を解決するための手段】
【０００６】本考案はサンバイザーのヘリを省き、材を耐熱撥水プラスチックの適宜素材でゴム紐取り付け穴も一体成型出来る。
以上の構成よりなる万能サンバイザーである。
【考案の効果】
【０００７】  １  万能サンバイザーは耳の上まで覆うため熱を感じ難い。
２  帽子の上から取り付けるため頭上の熱も防げる。
３  帽子のつばを後ろ向きにして被ると首筋の熱も防げる。
４  撥水素材のために雨ガッパ使用時は顔に掛かるフードも防げる。
５  子供達の校外学習時の熱中症の予防に役立つ。
６サンバイザーが色付きのため、スポーツ観戦時に応援席が際立つ。
７  つばに広告が印刷委出来る。
【図面の簡単な説明】
【図１】本考案の万能サンバイザーの斜視図である。
【図２】本考案の実施例を示す斜視図である。
【考案を実施するための形態】
【０００８】以下、本考案の実施の形態について説明する。
（イ）耐熱、撥水柔軟性のプラスチック等の適宜素材でゴム紐穴と本体を一体成する。
（ロ）つば本体の縁は丸みを持たせる。
（ハ）固定用帯ゴム紐に、マジックテープを使用してもよい。
【実施例】
【０００９】以下、添付図面によって実施例を説明する。
１は耐熱、撥水柔軟性プラスチック等の適宜素材にて出来た万能サンバイザー。
２は丸く盛り上がった縁  ３はゴム固定穴  ４は自由固定帯紐でマジック式でもよい。【００１０】  １  万能サンバイザーは耳の上まで覆う形態で熱を感じ難い。
２  帽子の上から取り付けるため頭上の熱も防げる。
３  帽子のつばを後ろ向きにして被ると首筋の熱も防げる。
４  撥水材の為、雨かっぱ使用時は顔に掛かるフードが邪魔にならない。
５  子供達校外学習の時も熱中症の予防に役立つ。
６  車中の窓熱は左右どちら側に被っても防げる。
本考案の実施例は上述の如き構成からなるものである。
【符号の説明】
【００１１】  １  万能サンバイザー本体。
２  つばの盛り上がり部。
３  ゴム紐取り付け穴。
４  固定用ゴム紐
【図１】
0003221772.tif 000003
【図２】
0003221772.tif 000004
(57)【要約】      （修正有）【課題】マラソン大会等のゼッケンを運動着を傷つけることなく装着でき、競技中ゼッケンシートが外れる恐れの少ないゼッケン装着用肩紐を提供する。【解決手段】両端に結合具４を備え長さを調節するアジャスター５を設けた胴体に回す紐１と、両端を輪にした肩から吊るすための一方の紐２と、肩から吊るすための他方の紐２´がずれることを防ぐための両方の紐２、２´を着用者の前後で結ぶ紐３、３´で構成したゼッケン装着用肩紐に安全ピンを掛けることによってゼッケンシートを装着できるようにした。【選択図】図１
0003221760.tif 000002
【実用新案登録請求の範囲】
【請求項１】
両端に結合具４を備えた胴体に回すための紐１に肩から吊るすための紐２および2´を取り付け、肩から吊るすための紐２および２´に肩から吊るすための紐がずれることを防ぐための紐３および３´を取り付けることによって構成されるゼッケン装着用肩紐
【請求項２】
請求項１記載の胴体に回す紐１に長さ調節用のアジャスターを設け、肩から吊るすための紐２および２´の両端を輪にし、そのそれぞれの輪に胴体に回す紐１を通すことによって構成されるゼッケン装着用肩紐
【考案の詳細な説明】
【技術分野】
【０００１】
競技者の識別番号が記載されたゼッケンシートを運動着を傷つけることなく安全ピンで装着するための肩紐
【背景技術】
【０００２】
従来よりマラソン等のスポーツ競技者が番号やチーム名を表示したゼッケンシートを安全ピンで運動着の胸や背中に付けることにより競技者を識別するのに利用している。現状多くのマラソン大会は、ゼッケンシートを1枚につき４個の安全ピンで、胸、背中又はその両方に装着する。この場合、安全ピンの針で運動着が傷付けられてしまう。運動着を傷つけたくない競技者は、競技に最適な運動着の選択に制約を受け、傷つけても惜しくない運動着を着用するため、競技の成績にも影響を及ぼすこととなる。
【０００３】
また、安全ピンで、運動着にゼッケンシートを直接つける方法では、競技中に運動着を着替える際に時間がかかってしまう。
【０００４】
ゼッケンを他の手段で装着する方法としては、特許文献１に示すように、ゼッケンホルダーを用いることによって装着する方法がある。この特許文献１に示される方法では、競技中ゼッケンシートに直接張力がかかるため、ゼッケンが破れたり、クリップが外れてしまう恐れがある。
【先行技術文献】
【特許文献】
【０００５】
【特許文献１】実用新案登録第3167498号公報
【考案の概要】
【考案が解決しようとする課題】
【０００６】
運動着を傷つけることなくゼッケンシートを装着する。
【０００７】
ゼッケンの付け替えが容易できる。
【０００８】
競技中にゼッケンが外れる恐れが少なくする。
【課題を解決するための手段】
【０００９】
本考案は、両端に結合具４を備え長さを調節するアジャスター５を設けた胴体に回す紐１と、両端を輪にした肩から吊るすための紐２および２´と、紐２および２´がずれることを防ぐための紐３および３´で構成し、安全ピンを掛けることによってゼッケンシートを装着できるようにしたことを特徴とする。
【考案の効果】
【００１０】
本考案のゼッケン装着用肩紐を用いることによって、次のような効果がある。
１）運動着が安全ピンで傷つけられることを防ぐ。
２）競技者が運動着を着替える際、ゼッケンの付け替えが簡単にできる。
３）競技中ゼッケンが外れる恐れが少なく、競技者が競技に集中できる。
【図面の簡単な説明】
【００１１】
【図１】本考案のゼッケン装着用肩紐の構成
【図２】通常のマラソン大会で提供されるゼッケンシートと安全ピン
【図３】本考案のゼッケン装着用肩紐にゼッケンを装着するときの構成
【図４】本考案のゼッケン装着用肩紐の胴体に回す紐の結合具を開いた状態を示す図
【考案を実施するための形態】
【００１２】
図１は本考案のゼッケン装着用肩紐の構成を示す。
【００１３】
胴体に回す紐１は、両端に接合具４を備え、長さを調整できるアジャ スター５を設けた紐である。
【００１４】
肩から吊るすための紐２および２´は両端を輪にし、その輪の中に胴体に回す紐１を通す。
【００１５】
肩から吊るすための紐２および２´にずれを防ぐための紐３および３´を取り付ける。
【実施例】
【００１６】
以下、添付図面に従って実施例を説明する。胴体に回す紐１、肩から吊るす紐２および２´、肩から吊るすための紐３および３´は透明なビニール製平紐等とし、競技者のファッションを阻害しないものとする。
【００１７】
マラソン大会等で提供されるゼッケンシートと安全ピン６を胴体に回す紐１と肩から吊るす紐２および２´に安全ピンを掛ける。
【００１８】
競技者は、接合具４を開閉しゼッケンシートを装着できるので、競技中の着替えも容易になる。
【００１９】
胴体に回す紐１に設けた長さ調節用アジャスター５で、競技者に最適なサイズとすることができる。
【産業上の利用可能性】
【００２０】
本考案のゼッケン装着用肩紐よって、競技者は、最適な運動着を選択でき、ゼッケンシートが外れる恐れが少なくなり競技に集中できる。
【符号の説明】
【００２１】
1  胴体に回す紐
２  肩から吊るすための紐
２´  肩から吊るすための紐
３  肩から吊るす紐のずれを防ぐための紐
３´  肩から吊るす紐のずれを防ぐための紐
４  結合具
５  長さ調節用アジャスター
６  マラソン大会等で提供されるゼッケンシートと安全ピン
【図１】
0003221760.tif 000003
【図２】
0003221760.tif 000004
【図３】
0003221760.tif 000005
【図４】
0003221760.tif 000006
【手続補正書】
【提出日】平成31年4月12日(2019.4.12)
【手続補正１】
【補正対象書類名】実用新案登録請求の範囲
【補正対象項目名】全文
【補正方法】変更
【補正の内容】
【実用新案登録請求の範囲】
【請求項１】
両端に結合具４を備え、結合具４を互いに結合して輪状となる胴体に回すための紐１と、左右の肩のそれぞれに吊るされるよう、両端部が胴体に回すための紐１に取り付けられている肩から吊るすための紐２および２´と、肩から吊るすための紐２および２´が肩からずれることを防ぐため、前方および後方のそれぞれにおいて、肩から吊るすための紐２の一点と肩から吊るすための紐２´の一点とを結ぶ紐３および３´と、で構成されるゼッケン装着用肩紐。
【請求項２】
胴体に回すための紐１に長さ調節用アジャスター５を設け、肩から吊るすための紐２および２´の両端を輪にし、そのそれぞれの輪に胴体に回すための紐１を通すことによって構成される請求項１に記載のゼッケン装着用肩紐。
(57)【要約】      （修正有）【課題】津波や堤防決壊等での水害に対して、早急に避難できない人々（老人・病人・障害者・子供・妊婦等）の為に、数分程度で安全が確保できる様にした津波対策ボートの提供。【解決手段】自家用車で牽引できるボートであって、固定したベッド、トイレを内蔵する。【選択図】図１
0003221752.tif 000002
【実用新案登録請求の範囲】
【請求項１】
牽引できる荷車であって、津波等の水害時には、舟として機能し目的地に到着したら、個別の宿泊設備として機能する。
【請求項２】
移動中であっても、遠隔で、牽引する車を切り離す事ができる。
【請求項３】
避難口・救出口を屋根の位置に備える
【考案の詳細な説明】
【技術分野】
【０００１】
【背景技術】
【０００２】
【考案の概要】
【考案が解決しようとする課題】津波の発生頻度は少ない
津波は百年に一度の悲劇かも知れませんが、確実に繰り返し発生しています。そして有史以来の対策は充分とは言えません。津波の到達した地点に石碑が建っていますが、暫らくすると、人々はまた、元の海岸近くに住む事になります。
避難の方法
津波が発生したら、高台に逃げるのが最良とされていますが、その高台に逃げ切れない人々が沢山居られます。老人・病人・障害者・子供・妊婦等の脚の弱い人々であっても数分で避難できなくてはなりません。
多用途の必要性
津波の発生は頻繁ではないので、その為だけに舟を所有するのは経済的負担が大き過ぎます。他の用途があれば、所有に対しての抵抗が減る事になります。
避難所での生活
脚を伸ばして寛げる個室があれば、エコノミー症候群等の関連被害も減り、犬・猫等のペットも同船でき、ある程度の避難具や私物を持ち込める事になります。
【課題を解決する為の手段】
各戸での所有
各戸で家族全員が乗り込める程度の舟を持っていれば、そんな事態は避けられます。それが自分の家の駐車場にあれば、数分で避難ができます。
軽くて、衝撃・水没に強い構造
比重の軽いヒノキの柱を組子にして多用し、隙間を発泡スチロールで埋める。
避難段階での有効使用
避難は、▲１▼ボートに乗り込む  ▲２▼自家用車で牽引  ▲３▼途中、津波に追いつかれたら自家用車を切り離す事で単独の舟になります。
レジャー等への転用
普及しなくては、多くの人々を救えません。動く個室になりますので、遊びや仕事で辺鄙な土地に移動した時でも宿泊設備になりますので、災害時でなくても使用できます。
【図面の簡単な説明】
【図１】  荷車は舟型をしており、屋根から脱出・救出できる様になっており、室内には階段を備えています。牽引する為の金具が前方に備えられています。入り口（右側）は、狭い土地でも使える様に引き戸になっています  椅子２脚と可動式のベッド２脚が備えられています  入り口脇はトイレのスペースになっています。普通車で牽引できる様に、横幅は１８０ｃｍ以内です。
【図１】
0003221752.tif 000003
【手続補正書】
【提出日】平成31年3月20日(2019.3.20)
【手続補正１】
【補正対象書類名】実用新案登録請求の範囲
【補正対象項目名】全文
【補正方法】変更
【補正の内容】
【実用新案登録請求の範囲】
【請求項１】
自家用車で牽引できる、ボートであって、固定したベッド、トイレを内蔵する津波対策ボート。
【請求項２】
ボート内から電波を使用し牽引車を切り離す機能を有する請求項１に記載の津波対策ボート。
【請求項３】
室内に階段が設置され、避難口・救出口が屋根の位置に設けられている請求項１又は２に記載の津波対策ボート。
(57)【要約】      （修正有）【課題】即座に４５度の加工を可能とする４５度角度台の提供。【解決手段】不等辺四角柱を４５度で二等分し短い辺の両端の２か所に通し穴を設けてこれに丸棒を通して被削材をはさむ。【選択図】図１
0003221761.tif 000002
【実用新案登録請求の範囲】
【請求項１】
等角で任意の材質を有する不等辺四角柱の短い辺の両端の２か所に任意の材質を有する丸棒を通すための通し穴を設けたもの。
【考案の詳細な説明】
【技術分野】
【０００１】本考案はバイスに設置し被削材を挟んで面取り等の加工する際の抑え具に関する。
【背景技術】
【０００２】従来、角度加工は専用のアングルバイスを使用するが、しかしそれ自体重く扱い易くはないという現状であった。また専用のアングルバイスはミニボール盤と称する小型のボール盤には、大きすぎて設置できないという問題があった。
【先行技術文献】
【０００３】ｈｔｔｐｓ：／／ｗｗｗ．ｎａｂｅｙａ．ｃｏ．ｊｐ  アングルバイス
【考案の概要】
【考案が解決しようとする課題】
【０００４】最も使用頻度の高い４５度で面取り等の加工ができる軽量小型の治具を提供する。
【課題を解決するための手段】
【０００５】等角で任意の材質を有する不等辺四角柱の短い辺の両端の２か所に、任意の材質を有する丸棒の通し穴を設ける。【０００６】その不等辺四角柱を縦方向で２等分になるように４５度で切断する。
【考案の効果】
【０００７】これにより素早く被削材の４５度での面取り等の加工が可能となる。【０００８】また軽量小型なので小型ボール盤にも設置できる。
【図面の簡単な説明】
【０００９】
【図１】当考案の４５度角度台の斜視図。
【考案を実施するための形態】
【００１０】以下、本考案の実施の形態を図に基づいて説明する。
【実施例１】
【００１１】通し穴に丸棒を通した後、２等分した材を引き離し、被削材板材を挟む。【００１２】これをボール盤のバイスで挟めば、４５度の角度で面取り等の加工が可能となる。
【産業上の利用可能性】
【００１８】本考案はクロスバイス、クロステーブル製造する産業で利用される。
【符号の説明】
【００１９】１ａ  不等辺四角柱を４５度で切断した片方
１ｂ  不等辺四角柱を４５度で切断したもう片方
２ａ  通し穴に通す丸棒の片方
２ｂ  通し穴に通す丸棒のもう片方
３    被削材を挟む４５度の切断面
【図１】
0003221761.tif 000003
【手続補正書】
【提出日】平成31年3月22日(2019.3.22)
【手続補正１】
【補正対象書類名】実用新案登録請求の範囲
【補正対象項目名】全文
【補正方法】変更
【補正の内容】
【実用新案登録請求の範囲】
【請求項１】
不等辺四角柱の断面の短い辺に対応する長手方向側面において、長手方向両端付近に２か所の通し穴を設け、前記不等辺四角柱を縦方向で２等分になるように４５度で切断し、前記通し穴に丸棒を通した後、２等分した材を引き離し、被削材板材を挟むことを特徴とする４５度角度台。
(57)【要約】      （修正有）【課題】素材に和紙を用い、ベッドのマットレスに容易に脱着可能にしたシーツを提供する。【解決手段】和紙製のシーツをアコーディオン折りにすることで、ベッドのマットレスに容易に脱着可能にし、シーツの上層は滑らかに肌触りをよくした風合いにし、下層は繊維を多重に重ね、上下二重構造にすることで、通気性、吸湿性に優れる。【選択図】図１
0003221762.tif 000002
【実用新案登録請求の範囲】
【請求項１】
和紙製のシーツをアコーディオン折りにして、ベッドのマットレスに容易に脱着可能になることで作業の効率性を高め、シーツの上層は滑らかに肌触りをよくした風合いにし、下層は繊維を多重に重ね、上下二重構造にすることで、通気性、吸湿性に優れることで快適性を高め、古紙としてリサイクルまたは廃棄可能になることで経済性も高める点を特徴とするシーツ。
【考案の詳細な説明】
【技術分野】
【０００１】
本考案は、素材に和紙を用い、上層と下層の異なる繊維構造で二重構造にして圧縮し、アコーディオン折りにして、ベッドのマットレスに容易に脱着可能にしたシーツに関するものである。
【考案の概要】
【考案が解決しようとする課題】
【０００２】
ホテルや病院などのベッドのシーツの取り換えには、人件費やクリーニングなどの費用がかかっているが、和紙製のシーツをアコーディオン折りにし、あらかじめ設置されたベッドのフックにひっかけてシーツをのばしながら掛けることで、時間や手間を短縮し、古紙としてリサイクルまたは廃棄できることで、前述の欠点を解決しようとするものである。
【課題を解決するための手段】
【０００３】
本考案は、和紙製のシーツをアコーディオン折りにすることで、ベッドのマットレスに容易に脱着可能にし、シーツの上層は滑らかに肌触りをよくした風合いにし、下層は繊維を多重に重ね、上下二重構造にすることで、通気性、吸湿性に優れることを特徴としたシーツとする。
【考案の効果】
【０００４】
上述の様に、本考案のシーツは和紙製のシーツをアコーディオン折りにして、ベッドのマットレスに容易に脱着可能になることで作業の効率性を高め、シーツの上層は滑らかに肌触りをよくした風合いにし、下層は繊維を多重に重ね、上下二重構造にすることで、通気性、吸湿性に優れることで快適性を高め、古紙としてリサイクルまたは廃棄可能になることで経済性も高める効果がある。
【図面の簡単な説明】
【０００５】
【図１】本考案のシーツのアコーディオン折りにした形状の斜視図である。
【図２】本考案のシーツの上層と下層の斜視図である。
【図３】本考案のシーツの上層と下層を重ねた断面図である。
【図１】
0003221762.tif 000003
【図２】
0003221762.tif 000004
【図３】
0003221762.tif 000005
【手続補正書】
【提出日】平成31年3月20日(2019.3.20)
【手続補正１】
【補正対象書類名】実用新案登録請求の範囲
【補正対象項目名】全文
【補正方法】変更
【補正の内容】
【実用新案登録請求の範囲】
【請求項１】
二枚重ねの和紙をアコーディオン折りとしたことを特徴とする、和紙製のシーツ。
(57)【要約】      （修正有）【課題】緩みが発生することなく、強固な結合状態を長期間保つことを可能にしたカケバ機用撚りかけ回転ノズルを提供する。【解決手段】ラッパ状で中心に麺線が通過する穴を設けたカケバ機用撚りかけ回転ノズル１の軸部側面に小径の穴を麺線が通過する穴に不貫通で加工し、その穴に鋼球、セラミック球、プラスチック球等の球体４を入れ、しかる後そのノズルの軸部に回転動力を伝達するための歯車３の中心穴を、球体を乗り越え可能な圧入圧力でノズルの軸部に圧入したことにより、歯車中心穴が球体を乗り越えて圧入する過程で歯車中心穴の内面に球体の凸部による筋状の圧痕が生じ、そのためにノズルの軸と歯車が極めて強固に一体的に結合され、歯車とノズルがその材質の違いにより、温度変化に伴う膨張率の差が大きく発生しても、球体が歯車中心穴に生じた筋状の圧痕として食い込み、キーに類似した機能を持つ様に作用する。【選択図】図１
0003221225.tif 000002
【実用新案登録請求の範囲】
【請求項１】
手延べ麺製造用かけ巻機（カケバ機）で２本の麺掛棒に綾がけする時、麺線に撚りをかけるための回転ノズルにおいて、ラッパ状ノズルの軸部側面に小径で且つ軸部中心穴と貫通しない深さの穴を加工し、その穴径よりも少し小さく、その穴の深さよりも大きい直径の球体をその穴に入れ、しかる後歯車中心穴をノズルの軸に球体を乗り越える圧入力にて圧入したことを特徴とするカケバ機における回転ノズル。
【考案の詳細な説明】
【技術分野】
【０００１】  本考案は手延べ製麺用カケバ機の、撚りかけ用回転ノズルの軸に、歯車を圧入し、長期間緩むことなく使用することを可能にする回転ノズルである。
【背景技術】
【０００２】従来、手延べ麺製造用カケバ機の、撚りかけ用ノズルの軸に歯車を圧入していたが、動作音の低減対策として、アルミ素材のノズルに対し、ナイロンなど樹脂の歯車を圧入したものが有るが、寒暖の差並びに使用中の高速回転に伴う発熱のため、材質ごとに違う熱膨張率の違いによって次第に圧入力が弱まり、短時間にて圧入力が不足して空回りするようになりがちであった。【０００３】撚りかけノズルの軸部にはボールベアリングも圧入しており、ボールベアリングの推奨軸軽寸法公差に該軸部の径を加工仕上げしなければならず、歯車の圧入代だけをむやみに大きくする事は、圧入して組立するのが極めて困難となり、実施できなかった。
【考案の概要】
【問題を解決するための手段】
【０００４】  本考案はラッパ状で中心に麺線が通過する穴を設けたカケバ機用撚りかけ回転ノズルの軸部側面に小径の穴を不貫通で加工し、その穴に鋼球、セラミック球、プラスチック球等の球体を入れ、しかる後その軸部に回転動力を伝達するための歯車を、その鋼球を乗り越えながら圧入したものである。
【０００５】本考案は、回転動力を伝達するための歯車を、歯車中心穴の内面にその球体を食い込ませ可能な圧入力にて圧入し、球体凸部を食い込ませながら圧入する過程で歯車の中心穴内面に筋状の圧入痕を生じさせ、圧入後は球体をキーのように作用させ、ノズルの軸と歯車中心穴が相互に鋼球を介して結合したものである。
【考案の効果】
【０００６】駆動用歯車の中心穴をノズル軸に圧入するに、ノズル軸表面から微量突出した球体の凸部を乗り越えて圧入するため、駆動用歯車の中心穴内面に鋼球凸部による圧入痕が筋状に発生するが、樹脂材料からなる歯車では樹脂素材が本来有する流動性のために歯面にはほとんど影響を与えることはなく、歯車中心穴内面に発生した鋼球による圧入痕がキー溝の機能となって、歯車歯型形状に問題を発生することなく、ノズル軸と駆動用歯車との連結のみが強固に作用し、長期間の使用に耐える結合を可能とした効果が有る。
【０００７】更に、麺線を通過させるための、撚りかけノズルには麺線よりも大きい中心穴が必要であるため、ノズルの軸部肉厚が薄くてキー溝加工が出来ず、そのままの状態でノズルの軸に歯車を圧入するだけでは、十分な連結力が得られなかったが、本考案のとおり球体を使用する事により、キー結合に類似した強固な結合とした効果が得られる。
【実施例】
【０００８】本考案の実施例はラッパ状で中心に麺線が通過する穴を設けたカケバ機用撚りかけ回転ノズル▲１▼の軸部▲６▼側面に小径の穴▲５▼を不貫通で加工し、その穴▲５▼に鋼球、セラミック球、プラスチック球等の球体▲４▼を入れ、しかる後その軸部▲６▼に回転動力を伝達するための歯車▲３▼中心穴を、その鋼球▲４▼を乗り越えながら圧入したものである。【０００９】前記撚りかけ回転ノズル▲１▼に回転動力を伝達するための歯車▲３▼を、歯車中心穴の内面をつぶしながらその球体▲４▼を歯車中心穴の内面に食い込ませ可能な圧入力にて圧入し、球体の凸部を食い込ませながら圧入する過程で歯車▲３▼の中心穴内面に筋状の圧入痕を生じさせ、圧入後は球体▲４▼をキーの如く作用させ、ノズルの軸▲６▼と歯車中心穴が相互に球体▲４▼を介して結合されたもので、本考案はキー結合に類似した強固な結合を可能にし、長期間の高速回転に耐えうる、緩みの極めて少ない結合を可能にした。
【図面の簡単な説明】
【図１】は本考案の組立図側面図、
【図２】は同じく正面図
【図３】は同じく斜視図、
【図４】は同じく側面図の断面図  Ｂ部詳細図は第４図のＢ部を拡大して書いた詳細図を示す。
【符号の説明】
【００１０】▲１▼  撚りかけ回転ノズル
▲２▼  ボールベアリング
▲３▼  歯車
▲４▼  球体
▲５▼  小径の穴
▲６▼  軸部
【図１】
0003221225.tif 000003
【図２】
0003221225.tif 000004
【図３】
0003221225.tif 000005
【図４】
0003221225.tif 000006
(57)【要約】      （修正有）【課題】ペットボトル先端の注ぎ口に指を触れることなく、清潔を保ったまま飲むことができる清潔保持ツバ付きキャップを提供する。【解決手段】ペットボトルなどのキャップに突起（ツバａ）を付けて、ペットボトルの先端に触れることなく、キャップの開閉をするようにし、清潔を保って飲料する。【選択図】図１
0003221230.tif 000002
【実用新案登録請求の範囲】
【請求項１】
ペットボトルより水分などを摂取する場合、キャップにツバのような突起物を形成することで、ペットボトルの先端に接触することなく安心してペットボトルから水分などの摂取ができるようにする、清潔保持ツバ付きキャップ。
【請求項２】
口などに接触する清潔を要する部分にて、接触、摂取をする場合、キャップにツバのような突起物を形成することで、ボトル先端などに接触することなく安心してボトルなどから水分などの摂取ができるようにする、清潔保持ツバ付きキャップ。
【考案の詳細な説明】
【技術分野】
【０００１】  本考案は、ペットボトル開閉時、ペットボトル先端部分に、指先などに接触し清潔を保てなくなるのを防ぎ、安心してペットボトルから水分などの摂取ができるようにしたい思いから考案しました。
【背景技術】
【０００２】  本考案は、ペットボトル先端部分に、指先などに接触し清潔を保てなくなるのを防ぐためにキャップ部分に、接触しないようにするようにするために、隔たり、つばを設けることである
【考案の概要】
【考案が解決しようとする課題】
【０００３】  解決しようとする問題点は、ペットボトルなどの先端部分に、指先などに接触し清潔を保てなくなるのを防ぐためにキャップ部分に、接触しないようにするようにするために、つばなどの隔たりを設けることである。
【課題を解決するための手段】
【０００４】  指先などに接触し清潔を保てなくなるのを防ぐためにキャップ部分に、ツバのような突起物を形成することで、ペットボトルの先端に接触することなく安心してペットボトルから水分などの摂取ができるようにする。
【考案の効果】  ペットボトルの先端に接触することなく安心してペットボトルから水分などの摂取ができるようになった。
【図面の簡単な説明】
【０００５】
【図１】使用状況の説明図である。
【考案を実施するための形態】
【０００６】  キャップ部分に、ツバのような突起物を形成することで、ペットボトルの先端に接触することなく安心してペットボトルから水分などの摂取ができるようにする。
【符号の説明】
【０００７】ａ，ツバのような突起物を形成することで、ペットボトルの先端に接触することなくなった。
【図１】
0003221230.tif 000003
(57)【要約】      （修正有）【課題】旗布が巻き上がったり、或いは旗布が旗竿に絡みついたりすることを可及的に抑制可能であり、しかも簡単にのぼり旗を設置或いは取り外し可能なのぼり旗竿用支持具を提供する。【解決手段】筒状体２０と孔部２２を設けた平板部２１を一体化すると共に、筒状体２０の一方開放面を閉塞可能なキャップ３０を備えて構成した。【選択図】図５
0003221259.tif 000002
【実用新案登録請求の範囲】
【請求項１】
筒状体と孔部を設けた平板部を一体化すると共に、筒状体の一方開放面を閉塞可能なキャップを備えたのぼり旗竿用支持具。
【考案の詳細な説明】
【技術分野】
【０００１】
本考案は、のぼり旗竿用の支持具に関するものである。
【背景技術】
【０００２】
街頭での広告等に用いられるのぼり旗１は、図６に示すように、縦長の長方形の旗布２の上縁及び一方の側縁に、旗竿３を通すための乳４が所定間隔を開けて連設されており、旗竿３とこの旗竿３上方の水平方向に設けたカンザシ６に旗布２を取り付けた状態で使用される。
【０００３】
上記のぼり旗は、道路のガードレールに、交通安全や防犯を啓蒙する内容などを旗布に印刷されたものが設置されたり、店舗敷地のフェンスに、商品やサービスあるいはイベントを宣伝する内容などを旗布に印刷されたものものが設置されることが多い。
【０００４】
これらののぼり旗は、旗竿をガードレールの支柱やフェンスの支柱に、針金等により取り付けられることがある。
【０００５】
特許文献１には、のぼり旗の旗布が、巻き上がることを防止する器具が開示されている。
【先行技術文献】
【特許文献】
【０００６】
【特許文献１】特開２０１７−１５６７３２号公報
【考案の開示】
【考案が解決しようとする課題】
【０００７】
従来ののぼり旗は、風にあおられ旗布が巻き上がったり、或いは旗布が旗竿に絡みついたりすることが多々あった。
【０００８】
また、従来ののぼり旗は上述の通り針金等で固定されているため、設置や取り外しが容易ではなかった。
【０００９】
本考案は上述の不都合、すなわち、旗布が巻き上がったり、或いは旗布が旗竿に絡みついたりすることを可及的に抑制可能であり、しかも簡単ののぼり旗を設置或いは取り外し可能なのぼり旗竿用支持具を提供することを目的とするものである。
【課題を解決するための手段】
【００１０】
上記課題を解決する本考案の構成は、以下の通りである。
【００１１】
（１）  請求項１に記載の考案は、筒状体と孔部を設けた平板部を一体化すると共に、筒状体の一方開放面を閉塞可能なキャップを備えて構成した。
【考案の効果】
【００１２】
上記のように構成される本考案が、如何に作用して課題を解決するかを図面を参照しながら概説する。
【００１３】
図３は、本考案にかかるのぼり旗竿用支持具１０の説明斜視図である。のぼり旗竿用支持具１０は、中空の筒状体２０と板状の平板部２１とにより成り、更に筒状体２０の開放面を閉塞可能なキャップ３０を備えるものである。
【００１４】
図５に示されるように本考案にかかるのぼり旗竿用支持具１０は、例えば図視されないフェンスの上下に二個、結束バンド等を用いて一列に取り付け、筒状体２０内にのぼり旗の竿３を緩挿させて設置するものである。なお、上方に存するのぼり旗竿用支持具１０はキャップ３０を取り付けず、下方に存するのぼり旗竿用支持具１０にはキャップ３０が取り付けられている。
【００１５】
上記のように本考案によれば、筒状体２０内に竿３を差し込むだけで、のぼり旗を設置でき、またのぼり旗を撤去する際には、竿３を引き抜くだけで作業が完了する。つまりはのぼり旗の設置及び撤去が、極めて簡単に行うことが可能となるのである。
【００１６】
従来ののぼり旗において、旗布が巻き上がったり、或いは旗布が旗竿に絡みついたりするといった不都合が生じるのは、旗は風にあおられて様々な動きをするのに対して、竿は固定されており、回転不可能であることがその原因である。
【００１７】
ところが、本考案においては、竿３は筒状体２０内に緩挿されており、竿３自体が筒状体２０内で回転可能である。つまりは、旗が風にあおられ様々な動きをしても、竿がその動きに伴う動きをすることが可能となる。かかる構造故に、本考案は旗布が巻き上がったり、或いは旗布が旗竿に絡みついたりすることを可及的に抑制可能となるのである。また、図６に示すようにクリップ７で、旗布２の下端を旗竿３と挟持固定すれば、旗布２の巻き上がりを防ぐことが可能となる。
【００１８】
図４は、本考案の他の実施例を示すものである。のぼり旗竿用支持具１０を上下方向に長尺に形成することで、図５に示されるように上下方向に二個のぼり旗竿用支持具１０、１０を設置しなくとも、竿３を支持することが可能となるものである。
【図面の簡単な説明】
【００１９】
【図１】Ａ  筒状部及び平板部の平面図            Ｂ  同、正面図
【図２】Ａ  キャップの平面図            Ｂ  同、正面図            Ｃ  Ｄ−Ｄ線断面図
【図３】本考案の説明斜視図
【図４】本考案の一実施例を示す説明図
【図５】本考案の実施状態を示す説明図
【図６】のぼり旗の説明図
【考案を実施するための形態】
【００２０】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。  
【００２１】
本考案にかかるのぼり旗竿用支持具１０は、図１に示すように筒状体２０と孔部２２を設けた平板部２１を一体化すると共に、図３に示すように筒状体２０の一方開放面２０ａを閉塞可能なキャップ３０を備えるものである。
【００２２】
筒状部２０と平板部２１は一体化されており、防錆性を備えた金属あるいは経年劣化しにくい樹脂材で形成されている。
【００２３】
平板部２１には、孔部２２が複数設けられている。この孔部２２に、結束バンドや針金を通して、金網やフェンス等の取り付け対象物に固定するためのものである。コンクリート壁等に取り付ける際には、孔部２２に木ねじを打ち込むことも可能である。
【００２４】
図１Ｂにしめすように、筒状体２０の下端は下方に延長されており、該延長部にはねじ山２３が設けられている。
【００２５】
図２に示すようにキャップ３０は内部に空洞を備え、該空洞の壁面には、上記ねじ山２３に螺合するねじ溝３１が設けられている。
【００２６】
本考案にかかるのぼり旗竿用支持具１０は、図５に示すように短尺のものを複数設置して使用してもよいし、図４に示すように長尺のものを一個使用して設置しても構わない。
【符号の説明】
【００２７】
１０・・のぼり旗竿用支持具
２０・・筒状体
２１・・平板部
２２・・孔部
２３・・ねじ山
３０・・キャップ
３１・・ねじ溝
【図１】
0003221259.tif 000003
【図２】
0003221259.tif 000004
【図３】
0003221259.tif 000005
【図４】
0003221259.tif 000006
【図５】
0003221259.tif 000007
【図６】
0003221259.tif 000008
(57)【要約】      （修正有）【課題】下穴明けとナット取り付けを、１工程で出来る為、組立効率の時間短縮が可能となるドリル付き筒状ナットを提供する。【解決手段】薄い鉄板へのボルトナットでの固着に用いる薄板用ドリル付き埋込ナットであって、鉄板への貫通順に外観がドリル先端形状ａを有し次に円筒状の部分と外周形状が楕円または多角形のフランジ部分ｄでなり、内部は筒状で、薄肉部とその先にメねじｃを形成しさらに奥がメねじのサイズより小さい多角形の凹状係合部ｂを形成していることを特徴とする。ナット先端についたドリルの径が筒状の径と同じになっており、内部メねじ形成部より奥の６角部で回転しながらネジ込めまたは挿入できる。【選択図】図１
0003221204.tif 000002
【実用新案登録請求の範囲】
【請求項１】
４ｍｍ以下の薄い鉄板にナットを固着させる方法において、先端に鉄板用穴あけドリル形状ａと内部に回転させる６角穴の形状ｂを、既存の内部にメねじｃを、内部貫通しないためのフランジ部ｄ（真円以外の形状）を形成し、後工程で別のボルトなどのオねじが、締め付けることにより貫通した筒状部分がつぶれて抜けない、また後付けのボルトが分解できる形状。
【考案の詳細な説明】
【技術分野】
【０００１】    本考案は、パイプへの堅固なナットの取り付けが簡便に出来る形状に関するものである。
【背景技術】
【０００２】    従来から、薄板鋼板へのメねじ部（以下ナット部と呼ぶ）形成は、下穴明けの工程の後に、穴貫通後回転してナット部形成するものや、内部にメねじの筒状を締め付けることによってつぶれてナットを固着するタイプなどがある。
【考案の概要】
【０００３】  図１のように、穴あけと挿入を１工程完了し、その後の別のオねじの締め付けにより筒状部がつぶれて抜けないようになるもので、従来の筒状ナット製品の先端に鉄板用ドリルの形状と内部に６角穴のかかり部を形成追加した部品。
【考案の効果】
【０００４】  上述のように、本考案のドリル付き筒状ナットは、下穴明けとナット取り付けを、１工程で出来る為、組立効率の時間短縮が可能となる
【図面の簡単な説明】
【０００５】
【図１】は本考案の断面で、ドリル穴あけと挿入を１工程で完了したものと、ナット部のおネジ締結後の形状。
【図２】と
【図３】は、利用した形状の例である。
【図１】
0003221204.tif 000003
【図２】
0003221204.tif 000004
【図３】
0003221204.tif 000005
【手続補正書】
【提出日】平成31年2月19日(2019.2.19)
【手続補正１】
【補正対象書類名】実用新案登録請求の範囲
【補正対象項目名】全文
【補正方法】変更
【補正の内容】
【実用新案登録請求の範囲】
【請求項１】
薄い鉄板へのボルトナットでの固着手段において、鉄板への貫通順に外観がドリル先端形状ａを有し次に円筒状の部分と外周形状が楕円または多角形のフランジ部分ｄでなり、内部は筒状で、薄肉部とその先にメねじｃを形成しさらに奥がメねじのサイズより小さい多角形の凹状係合部ｂを形成していることを特徴とした、薄板用ドリル付き埋込ナット。
(57)【要約】      （修正有）【課題】テラスやベランダ屋根内に簡単に取り外しができるテラスやベランダ屋根の日よけスクリーンを提供する。【解決手段】（イ）スクリーン１の両端２と、中央部３を縫製し棒袋４を設ける。（ロ）棒袋４に伸縮棒５を設ける。以上のような構成である。使用するときは、テラスやベランダ屋根内の梁と梁の間に伸縮棒５を伸縮調整して取り付ける。【選択図】図２
0003221201.tif 000002
【実用新案登録請求の範囲】
【請求項１】
スクリーン両端と中央部に棒袋を設け、棒袋に伸縮棒を設けたテラスやベランダ屋根の日よけスクリーン。
【考案の詳細な説明】
【技術分野】
【０００１】本考案は、テラスやベランダ屋根内の日差しによる温度上昇を緩和し、テラスやベランダ面側の窓からの室内への日差しを緩和する為のスクリーンに関するものである。
【背景技術】
【０００２】従来、テラスやベランダ屋根のカーポネート板を暗い色にすると屋根内の温度上昇を緩和できる。
なお、紐で取り付けるスクリーンが知られている。
【先行技術文献】
【０００３】
【考案の概要】
【考案が解決しようとする課題】
【０００４】テラスやベランダ屋根のカーポネート板を暗い色にすると屋根内の温度上昇を緩和できるが、日差しが強くない季節もテラスやベランダ屋根内の日差しを遮り、テラスやベランダ面側の窓への日差しも遮ることで室内が暗くなっていた。
なお、紐で取り付けるスクリーンは、テラスやベランダ屋根の片側が壁面の為、取り付けが困難だった。
本考案は、以上の問題点を解決するためになされたものである。
【課題を解決するための手段】
【０００５】スクリーンの両端及び、中央部に棒袋を縫製し、棒袋に伸縮棒を通し取り付ける。
以上の構成よりなるテラスやベランダ屋根の日よけスクリーン。
【考案の効果】
【０００６】本考案は、日差しが強い季節に取り付け、日差しが弱い季節には、取り外したり、スクリーンを伸縮棒で巻いた状態で取り付けたりすることによりスクリーンを自在に調整することができる。
テラスやベランダ屋根内の梁と梁の間を伸縮棒で取り付けるため、簡単に取り付けができる。
【図面の簡単な説明】
【０００７】
【図１】本考案の使用状態を示す斜視図
【図２】本考案の裏面図
【考案を実施するための形態】
【０００８】以下、本考案の実施の形態を説明する。
（イ）スクリーン（１）の両端（２）と、中央部（３）を縫製し棒袋（４）を設ける。
（ロ）棒袋（４）に伸縮棒（５）を設ける。
本考案は以上のような構成である。
本考案を使用するときは、テラスやベランダ屋根内の梁と梁の間に伸縮棒を伸縮調整して取り付ける。
【符号の説明】
【０００９】        （１）スクリーン、（２）スクリーン両端、（３）スクリーン中央部、
（４）棒袋、（５）伸縮棒
【図１】
0003221201.tif 000003
【図２】
0003221201.tif 000004